(57)【特許請求の範囲】
【請求項１】
名刺を収容する名刺収容部が形成されたロアケースと、
前記ロアケースに開閉自在に接続され、文字印刷ハンマが設けられたアッパケースと、
環状のリング板に取り付けられインクを保持するインク保持部と、前記リング板との間に前記インク保持部を挟み、該インク保持部のインクを通過させる貫通孔で印刷文字が形成された文字形成面とからなり、そのリング板が前記文字印刷ハンマにより押圧される文字判と、
前記文字判の両端部を回動自在に支持するとともに、前記ロアケースに回動自在に支持された文字判支持部材と、
前記文字判の文字形成面と前記名刺収容部に収容された名刺との間に配置され、前記文字判の底面を支持するとともに開口が形成されたプロテクタと、
前記プロテクタの開口を開閉するシャッタとを備え、
前記文字印刷ハンマで前記文字判を押圧することにより、前記文字判の文字形成面を、前記シャッタで開放された前記プロテクタの開口から突出させて前記名刺収容部に収容された名刺に当接させ、該名刺に文字を印刷することを特徴とする名刺入れ。
【請求項２】
請求項１の名刺入れにおいて、
前記文字判の上面および側面を覆うとともに前記文字印刷ハンマを通過させる貫通孔が形成された文字判ケースを設け、
前記プロテクタは、前記文字判ケースに取り付けられて該文字判ケースの底面を形成し、
前記シャッタは、前記文字判ケースに取り付けられたシャッタ支持部に摺動可能に支持されていることを特徴とする名刺入れ。
【請求項３】
請求項２の名刺入れにおいて、
前記シャッタは、前記アッパケースに形成された突起と嵌合する係止部を有し、
前記プロテクタの開口を開放した状態を前記係止部で保持するとともに前記アッパケースが開放されると前記係止部により保持された状態を解除することを特徴とする名刺入れ。
【請求項４】
請求項１、請求項２または請求項３の名刺入れにおいて、
インクを保持するインク保持部と、該インク保持部のインクを通過させるための貫通孔で印刷画像が形成された画像形成面とからなり、前記画像形成面との間に前記インク保持部を挟む押圧ブロックにより押圧される画像判と、
前記画像判の両端部を支持するとともに、前記ロアケースに支持された画像判支持部材とを備え、
前記押圧ブロックを押圧することにより、前記画像判の画像形成面を、前記名刺収容部に収容された名刺に当接させて該名刺に画像を印刷することを特徴とする名刺入れ。
【発明の詳細な説明】
【技術分野】
【０００１】
本発明は、収容した名刺に文字や画像を印刷する名刺入れに関する。
【背景技術】
【０００２】
従来の名刺入れは、印字ハンマ手段の押さえゴムと押さえブロックを設けたアッパケースと、そのアッパケースを開閉自在に接続したロアケースと、ケースの内部に形成した名刺収容部と、活字ケースに、上面に活字を形成した複数の活字ブロックの間を上下移動が可能なように連結した複数の日付印字用の活字ユニットを装着した活字装置と、日付を印字するための印字リボンとを備え、印字ハンマ手段を押圧することにより印字リボンを介して名刺を活字に押し付けて日付を印字するようにしている（例えば、特許文献１参照）。
【先行技術文献】
【特許文献】
【０００３】
【特許文献１】国際公開２００６／０８０３９１号（段落「００１２」〜段落「００３３」、図１、図２）
【発明の概要】
【発明が解決しようとする課題】
【０００４】
しかしながら、上述した従来の技術においては、インクを浸み込ませた印字リボンは消耗品であり、名刺に印字された文字が薄くなった場合、使用していた印字リボンを新たな印字リボンに交換する必要があるが、その印字リボンは円形で平面的に形成されているため、交換作業に多大な時間を要するという問題がある。
【０００５】
本発明は、このような問題を解決することを課題とし、インクが消耗した場合のインクの補充作業を容易にし、使用者の利便性を向上させることを目的とする。
【課題を解決するための手段】
【０００６】
そのため、本発明は、名刺を収容する名刺収容部が形成されたロアケースと、前記ロアケースに開閉自在に接続され、文字印刷ハンマが設けられたアッパケースと、環状のリング板に取り付けられインクを保持するインク保持部と、前記リング板との間に前記インク保持部を挟み、該インク保持部のインクを通過させる貫通孔で印刷文字が形成された文字形成面とからなり、そのリング板が前記文字印刷ハンマにより押圧される文字判と、前記文字判の両端部を回動自在に支持するとともに、前記ロアケースに回動自在に支持された文字判支持部材と、前記文字判の文字形成面と前記名刺収容部に収容された名刺との間に配置され、前記文字判の底面を支持するとともに開口が形成されたプロテクタと、前記プロテクタの開口を開閉するシャッタとを備え、前記文字印刷ハンマで前記文字判を押圧することにより、前記文字判の文字形成面を、前記シャッタで開放された前記プロテクタの開口から突出させて前記名刺収容部に収容された名刺に当接させ、該名刺に文字を印刷することを特徴とする。
【発明の効果】
【０００７】
このようにした本発明は、文字形成面にインクを塗布することでインクの補充ができるため、インクが消耗した場合のインクの補充作業が容易になり、使用者の利便性を向上させることができるという効果が得られる。
【図面の簡単な説明】
【０００８】
【図１】実施例における名刺入れの外観斜視図
【図２】実施例における名刺入れの外観の平面図および側面図
【図３】実施例における名刺入れの断面図
【図４】実施例における文字印刷部の説明図
【図５】実施例における文字印刷部の断面図
【図６】実施例における文字判支持部材の平面図および側面図
【図７】実施例における文字判の説明図
【図８】実施例における文字判ケースの平面図および側面図
【図９】実施例におけるプロテクタの平面図および側面図
【図１０】実施例におけるシャッタの平面図および側面図
【図１１】実施例におけるシャッタの開閉動作を示す説明図
【図１２】実施例における画像判部の平面図および断面図
【図１３】実施例における画像判の説明図
【図１４】実施例における文字判の変形例の説明図
【図１５】実施例における文字判の変形例の説明図
【発明を実施するための形態】
【０００９】
以下、図面を参照して本発明による名刺入れの実施例を説明する。
【実施例１】
【００１０】
図１は実施例における名刺入れの外観斜視図、図２は実施例における名刺入れの外観の平面図および側面図であり、図２（ａ）は平面図、図２（ｂ）は短手方向の側面図、図２（ｃ）は長手方向の側面図である。
【００１１】
図１および図２において、１は名刺入れであり、内部に名刺を収容するとともに収容した名刺に文字や画像を印刷するものである。
【００１２】
２は合成樹脂等で形成されたアッパケース、３は合成樹脂等で形成されたロアケースであり、ロアケース３の内部には名刺１０を収容する領域である名刺収容部が形成され、またアッパケース２はロアケース３に蝶番等により開閉自在に接続され、図１に示すようにアッパケース２を開放することによりロアケース３の名刺収容部に名刺を出し入れできるようになっている。
【００１３】
４は文字印刷部であり、アッパケース２を閉塞した状態でアッパケース２に設けられた文字印刷ハンマを押圧することで名刺収容部に収容された最上位の名刺に文字判を押圧し、日付等の文字を印刷する部位である。
【００１４】
５は画像印刷部であり、アッパケース２を開放した状態で画像印刷ハンマを押圧することで名刺収容部に収容された最上位の名刺に画像判を押圧し、顔画像等の画像を印刷する部位である。
【００１５】
なお、本実施例では、名刺入れ１に文字印刷部４および画像印刷部５を備えた構成として説明するが、どちらか一方を備えた構成としてもよい。
【００１６】
図３は実施例における名刺入れの断面図である。
【００１７】
図３において、６は文字印刷部４の押圧ブロックであり、アッパケース２に形成された貫通孔に上下動可能に設けられた略直方体状の文字印刷ハンマである。
【００１８】
７は文字判であり、合成樹脂等で形成された環状のリング板、インクが浸潤したスポンジ状のインク保持部、インク保持部のインクを通過させるための貫通孔が印刷する文字の形状で形成された文字形成面からなり、押圧ブロック６でリング板を押圧し、文字形成面をロアケース３に収容された名刺１０に押圧することにより、文字を名刺１０に印刷するものである。
【００１９】
この文字判７は、回転可能に同心円を形成する複数のリング板からなり、それぞれのリング板にインク保持部および文字形成面が取り付けられている。したがって、それぞれの文字判７のリング板を回転させて文字形成面を移動させることにより所望の文字をロアケース３に収容された名刺１０に印刷することができるようになっている。本実施例では、年月日等の日付を印刷するための複数のリング板が設けられている。
【００２０】
８はプロテクタであり、文字判７に対応して合成樹脂等で円板状に形成され、その一部に開口が形成されているものである。このプロテクタ８は、文字判７の文字形成面とロアケース３に収容された名刺１０との間に設けられ、文字形成面と名刺１０とを遮断して文字形成面表面のインクが名刺１０に付着することを防止するとともに開口から文字形成面を突出させて所望の文字を名刺１０に印刷させるためのものである。
【００２１】
また、プロテクタ８は文字判７の底面を支持し、その文字判７はプロテクタ８上を自在に回転することができるようになっている。
【００２２】
９はシャッタであり、プロテクタ８に形成された開口を開閉するためのものである。このシャッタ９は、文字の印刷が不要なときはプロテクタ８の開口を閉塞して文字判７の文字形成面の全部とロアケース３に収容された名刺１０とを遮断し、一方文字の印刷が必要なときはプロテクタ８の開口を開放して所望の文字を名刺１０に印刷できるようにするものである。
【００２３】
１１は画像印刷部５の押圧ブロックであり、略円柱状の画像印刷ハンマである。
【００２４】
１２は板バネであり、画像判支持部材１３１に設けられ、押圧ブロック１１を支持するとともにロアケース３に収容された名刺１０から離れる方向へ付勢するものである。
【００２５】
１３は画像判であり、押圧ブロック１１に取り付けられ、合成樹脂等で形成された円形板、インクが浸潤したスポンジ状のインク保持部、インク保持部のインクを通過させるための貫通孔が印刷する画像の形状で形成された画像形成面からなり、押圧ブロック１１を押圧することにより、画像形成面をロアケース３に収容された名刺１０に押圧させて顔画像等の画像を名刺１０に印刷するものである。この画像判１３は、板バネ１２により付勢されているため、押圧ブロック１１の押圧を解除することにより名刺１０から離れ、画像形成面表面のインクが名刺１０に付着することを防止することができるようになっている。
【００２６】
図４は実施例における文字印刷部の説明図であり、図４（ａ）はアッパケースを開放した状態の文字印刷部の平面図、図４（ｂ）は文字印刷部のＢＢ断面図、図４（ｃ）は文字印刷部のＡＡ断面図である。
【００２７】
図４において、７１は文字判支持部材であり、名刺１０を収容するロアケース３の側端部に蝶番等で回転自在に取り付けられたものである。また文字判支持部材７１の自由端は、文字判７の中心を挟むように文字判７が収容されている後述する文字判ケースの両端部を回転自在に支持し、その文字判ケースの底面をロアケース３に収容されている名刺１０に押し付けることができるようになっている。
【００２８】
ここで文字判支持部材の構成を図６の実施例における文字判支持部材の平面図および側面図に基づいて説明する。なお、図６（ａ）は文字判支持部材の平面図、図６（ｂ）は文字判支持部材の側面図である。
【００２９】
図６において、文字判支持部材７１は、回転支点７１１でロアケース３のシャフトに回転自在に接続され、また自由端に設けられた回転支点（軸受け）７１２で図示しない文字判ケースの中心を挟んだ両側部の突起（回転軸）を嵌入してその文字判ケースを回転自在に支持する。
【００３０】
図４の説明に戻り、７２は合成樹脂等で形成された文字判ケースであり、文字判７の上面および側面を覆うものである。この文字判ケース７２の上面には、押圧ブロック６に対応し、文字判７の中心から外周方向に向けて押圧ブロック６を通過させるための貫通孔としての略長方形状の窓７２ａが形成され、その窓７２ａを通過する押圧ブロック６で文字判７のリング板の一部を押圧することにより、その文字判７に形成された文字形成面をロアケース３に収容された名刺に押圧することができるようになっている。
【００３１】
また、文字判ケース７２の上面には、窓７２ｂが文字判７のそれぞれのリング板に対応して形成され、操作者は窓７２ｂを介して文字判７のリング板を回転させて印刷する文字を窓７２ａの位置へ移動させることにより、所望の文字を印刷することができるようになっている。
【００３２】
なお、本実施例では、既に名刺に印刷されている文字と文字判７で印刷する文字とが重ならないようにするため、窓７２ａは名刺入れの長手方向に対して約２５度傾くように形成するものとするが、この傾斜角は２５度に限られることなく任意に設定してもよい。
【００３３】
７３はシャッタ支持部であり、文字判ケース７２に形成された窓７２ａの近傍に取り付けられ、シャッタ９を摺動可能に支持するものである。シャッタ９は、図中矢印Ｃまたは矢印Ｃ´が示す方向にシャッタ支持部７３内を摺動することにより図示しないプロテクタの開口を開閉する。
【００３４】
図５は実施例における文字印刷部の断面図であり、文字印刷部の拡大断面図ある。
【００３５】
図５において、７４は上述した文字判７のリング板であり、合成樹脂等で環状に形成されたものである。このリング板７４の上面には、文字形成面に貫通孔で形成された文字に対応した文字が印刷され、操作者は文字判ケース７２に形成された窓から文字形成面に形成された文字の位置を視認できるようになっている。なお、本実施例では、リング板７４は上述したように同心円状に複数設けられているものとして説明するが、それに限られることなく、ひとつのリング板７４としてもよい。
【００３６】
７５は繊維体で構成されたスポンジ状のインク保持部であり、それぞれのリング板７４のロアケース３側に取り付けられ、内部に顔料系のインクを浸潤させて保持するものである。なお、それぞれのインク保持部７５の側部は合成樹脂等で覆われインクの漏れを防止するようになっている。
【００３７】
７６は文字形成面であり、それぞれのインク保持部７５のロアケース側に取り付けられ、リング板７４との間にインク保持部７５を挟むようにして取り付けられた文字形成シートである。この文字形成面７６には、インク保持部７５に保持されたインクを通過（透過）させるための微小な貫通孔が印刷する文字の形状で形成されている。
【００３８】
このようにリング板７４、インク保持部７５、および文字形成面７６で構成された文字判７は、その上面および外周面は文字判ケース７２で覆われ、また底面はプロテクタ８およびシャッタ９で覆われている。
【００３９】
したがって、文字形成面７６と、ロアケース３に収容された名刺１０との間には、プロテクタ８およびそのプロテクタ８に形成された開口を遮蔽するシャッタ９が配置され、印刷を行わない状態ではプロテクタ８およびシャッタ９で文字形成面７６と名刺１０とを遮断している。
【００４０】
一方、シャッタ９を摺動させてプロテクタ８の開口を開放した状態でアッパケース２に上下動可能に設けられた押圧ブロック６を収容された名刺１０側に押圧することにより、文字判支持部材７１により回動自在に支持された文字判ケース７２を回動させ、文字判７の文字形成面７６をプロテクタ８の開口から突出させてロアケース３に収容された名刺１０に押し付け、その文字形成面７６の貫通孔を通過したインクで所望の文字を名刺１０に印刷することができるようになっている。
【００４１】
このように文字印刷部４は、押圧ブロック６、文字判支持部材７１、文字判ケース７２、文字判７（リング板７４、インク保持部７５、文字形成面７６）、プロテクタ８、およびシャッタ９からなり、押圧ブロック６を押圧することにより、所望の文字を名刺収容部に収容された最上位の名刺１０に印刷することができるようになっている。
【００４２】
また、インク保持部７５へのインクの補充は、文字形成面７６の印刷面にインクを塗布することにより容易に行うことができるようになっている。
【００４３】
なお、本実施例では、文字判７は、その中心から外周に向けて「年」、「月」、「日」（十の位、一の位）を表す文字が配置されているものとする。
【００４４】
図７は実施例における文字判の説明図であり、図７（ａ）は文字判の印刷面の平面図、図７（ｂ）は文字判のＤＤ断面図である。
【００４５】
図７において、環状のリング板７４に対応するように環状のインク保持部７５および文字形成面７６が形成されてリング板７４に取り付けられている。
【００４６】
また、図７（ｂ）に示すように文字形成面７６には、インク保持部７５に保持されたインクを通過させるための貫通孔７６１が印刷文字を形成するように設けられている。例えば、貫通孔７６１は「０」、「１」、「２」等の印刷文字を形成している。
【００４７】
このように文字判７は、リング板７４、インク保持部７５および文字形成面７６が積層されて形成されている。
【００４８】
なお、本実施例では、インク保持部７５をリング板７４に対応するように環状に形成するようにしたが、図７（ｃ）に示すようにインク保持部７５を印刷文字に対応させて印刷文字毎に分離してリング板７４に取り付けるようにしても良い。
【００４９】
図８は実施例における文字判ケースの平面図および側面図であり、図８（ａ）は平面図、図８（ｂ）は側面図である。
【００５０】
図８において、文字判ケース７２の外周には、その中心を挟んで２つの回転軸としての突起７２１が設けられている。この突起７２１が図６に示す文字判支持部材７１の回転支点７１１に嵌入されることにより、文字判ケース７２は文字判支持部材７１により回転自在に支持される。
【００５１】
７３１はシャッタ操作部ガイドであり、文字判ケース７２に形成された窓７２ａの近傍に取り付けられたシャッタ支持部７３に形成され、図示しないシャッタに形成された操作部を摺動可能に案内するとともにシャッタを支持するものである。
【００５２】
７３２はスプリングであり、一端がシャッタ支持部７３に取り付けられ、また他端がシャッタ操作部ガイド７３１で支持される図示しないシャッタに取り付けられ、そのシャッタを図中矢印Ｅが示す方向へ付勢し、プロテクタの開口を閉塞するようにしている。
【００５３】
図９は実施例におけるプロテクタの平面図および側面図であり、図９（ａ）は平面図、図９（ｂ）は側面図である。
【００５４】
図９において、８１はプロテクタ８に形成された開口であり、図８における文字判ケース７２に形成された窓７２ａに対応して形成された略長方形状の貫通孔である。
【００５５】
８２は係止部であり、プロテクタ８の外周に設けられ、図８における文字判ケース７２に形成された突起７２３を嵌合することにより、プロテクタ８で文字判ケース７２の底面を形成する。このとき、開口８１は、図８に示す文字判ケース７２の窓７２ａに対応して配置される。
【００５６】
図１０は実施例におけるシャッタの平面図および側面図であり、図１０（ａ）は平面図、図１０（ｂ）は側面図である。
【００５７】
図１０において、シャッタ９は板状に形成され、その一部には上述したプロテクタの開口８１に対応して開口９１ａが形成されている。
【００５８】
９２はシャッタ操作部であり、シャッタ９の端部に設けられ、操作者の操作によりシャッタ９を摺動させるためのものである。このシャッタ操作部９２は、図８に示す文字判ケース７２に設けられたシャッタ操作部ガイド７３１に案内されて図１０における矢印Ｆおよび矢印Ｇが示す方向に摺動可能に構成されている。
【００５９】
矢印Ｆが示す方向へ移動したシャッタ９は、その遮蔽部９１ｂでプロテクタの開口を閉塞し、一方矢印Ｇが示す方向へ移動したシャッタ９は、その開口９１ａによりプロテクタの開口を開放する。
【００６０】
矢印Ｇが示す方向へ移動したシャッタ９は、シャッタ操作部９２に形成された係止部としての凹部９２１にアッパケースに設けられた突起が嵌合して係止され、プロテクタの開口を開放した状態が保持されるようになっている。
【００６１】
なお、シャッタ９は、凹部９２１にアッパケースに設けられた突起が嵌合していないとき、図８に示すスプリング７３２により矢印Ｆが示す方向に付勢されているため、プロテクタの開口を閉塞する。
【００６２】
ここで、シャッタ９の動作を図１１の実施例におけるシャッタの開閉動作を示す説明図に基づいて説明する。なお、図１１は摺動するシャッタのシャッタ操作部の側面を示した図である。
【００６３】
図１１において、シャッタ９は図示しないスプリングにより図中矢印Ｊが示す方向へ付勢され、シャッタ操作部９２は実線で示される位置に配置される。このとき、シャッタ９はプロテクタ８の開口を閉塞している。したがって、文字判は、プロテクタ８の開口を閉塞したシャッタ９によりロアケース３に収容された名刺１０と接触することができなくなっている。
【００６４】
シャッタ９のシャッタ操作部９２を図中矢印Ｈが示す方向へ摺動させるとそのシャッタ操作部９２に形成された凹部９２１にアッパケース２に設けられた突起２０１が嵌入してシャッタ９は係止され、シャッタ操作部９２は破線で示される位置に配置される。このとき、シャッタ９に形成された開口はプロテクタ８に形成された開口を開放する。したがって、文字判はプロテクタ８およびシャッタ９の開口を通過してロアケース３に収容された名刺１０に接触することができるようになり、名刺１０への文字印刷が可能になる。
【００６５】
名刺１０への印刷が終了し、印刷した名刺１０を取り出すためにアッパケース２を回動させて開放すると突起２０１は図中上方向へ移動し、シャッタ操作部９２の凹部９２１から離れてシャッタ９の係止を解除する。係止が解除されたシャッタ９は図示しないスプリングにより付勢されているため矢印Ｊが示す方向へ移動し、プロテクタ８の開口を閉塞する。
【００６６】
図１２は実施例における画像判部の平面図および断面図であり、図１２（ａ）はアッパケースを開放した状態の平面図、図１２（ｂ）はＬＬ断面図である。
【００６７】
図１２において、１３１は合成樹脂等で形成された画像判支持部材であり、名刺１０を収容するロアケース３の側端部に蝶番等で回転自在に取り付けられ、画像判１３を支持する板状のものである。この画像判支持部材１３１には画像判１３を突出させるための貫通孔１３２が形成され、画像判１３はこの貫通孔１３２を通過してロアケース３に収容された名刺１０に接触することができるようになっている。なお、画像判支持部材１３１は、その自由端がロアケース３の側端部に形成された係止部に当接し、ロアケース３に収容された名刺１０との間に空間を形成している。
【００６８】
また、貫通孔１３２の中心を挟んでその貫通孔１３２の両側に板バネ１２がそれぞれ配設されており、その板バネ１２の自由端により画像判１３は支持されるとともにロアケース３から離れる方向（図１２（ｂ）における上方向）に付勢されてロアケース３に収容された名刺１０との間隔が保持されている。
【００６９】
画像判１３の上部には押圧ブロック１１が設けられ、その押圧ブロック１１を押圧することにより、画像判１３をロアケース３に収容されている名刺１０に押し付け、画像を印刷することができるようになっている。
【００７０】
図１３は実施例における画像判の説明図であり、図１３（ａ）は断面図、図１３（ｂ）は画像形成面の平面図である。
【００７１】
図１３において、１３３は繊維体で構成されたスポンジ状のインク保持部であり、内部に顔料系のインクを浸潤させて保持するものである。このインク保持部１３３のアッパケース側の面（図１３（ａ）における上面）は、図示しない押圧ブロック１１により押圧される。
【００７２】
１３４は画像形成面であり、インク保持部１３３のロアケース側に取り付けられ、そのインク保持部１３３に保持されたインクを通過させるための微小な貫通孔がレーザ等により印刷する画像の形状で形成されている画像形成シートである。なお、本実施例では、画像形成面１３４に形成される画像はカメラ等で撮影された顔画像とするが、顔画像に限られるものでなくイラスト等の画像を形成するようにしてもよい。
【００７３】
このように画像判１３は、インク保持部１３３および画像形成面１３４が積層されて構成され、押圧ブロック１１を介して画像形成面１３４をロアケースに収容された名刺に押し付けることにより、その名刺に画像を印刷することができる。
【００７４】
また、インク保持部１３３へのインクの補充は、画像形成面１３４の印刷面にインクを塗布することにより容易に行うことができるようになっている。
【００７５】
上述した構成の作用について説明する。
【００７６】
まず、図１に示すように、アッパケース２を回動させて名刺入れ１を開き、続いて文字印刷部４を支持する文字判支持部材および画像印刷部５を支持する画像判支持部材をアッパケース２側に回動させてロアケース３の名刺収容部を露出させ、その名刺収容部に複数枚（例えば、１０枚程度）の名刺１０を収容する。
【００７７】
次に、図４に示すように文字判支持部材７１をロアケース３側に回動させ、文字判ケース７２の窓７２ａおよび窓７２ｂを視認できるようにする。なお、この状態では、プロテクタ８およびシャッタ９で文字判７と収容された名刺１０とを遮断しているため文字判７のインクが名刺１０に付着することはない。
【００７８】
文字判支持部材７１を回動させた後、印刷すべき文字が窓７２ａに位置するように指等でそれぞれの窓７２ｂを介して文字判７のそれぞれのリング板を回転させる。本実施例では、日付を印刷するものとし、例えば「’０９  ＡＵＧ  ２５」を配置するものとする。
【００７９】
印刷すべき文字を窓７２ａに配置した後、アッパケース２をロアケース３側に回動させて名刺入れを閉じる。名刺入れを閉じた後、図１１に示すようにシャッタ操作部９２を図中矢印Ｈが示す方向（図４（ａ）における矢印Ｃ´が示す方向）に摺動させてシャッタ９の開口でプロテクタ８の開口を開放させると文字印刷の準備が完了する。
【００８０】
なお、画像判１３は、予め顔写真等の画像形成面が形成されているため、アッパケース２を閉塞すると文字印刷とともに画像印刷の準備も完了する。
【００８１】
文字印刷および画像印刷の準備が完了した状態で図４に示すように押圧ブロック６を指等でロアケース３側に押圧するとその押圧ブロック６は文字判ケース７２の窓７２ａを介して文字判７のそれぞれのリング板を押圧し、文字判７の文字形成面がシャッタ９により開放されたプロテクタ８の開口から突出し、ロアケース３に収容された最上位の名刺１０に接触して窓７２ａに配置された文字が名刺１０に印刷される。
【００８２】
指等を押圧ブロック６から放して押圧を止めるとその押圧ブロック６は文字判７のリング板の復元力によりアッパケース２側に付勢されて文字判７の文字形成面は名刺１０から離れ、元の位置に戻る。
【００８３】
次に、アッパケース２を回動させて開放した後、図１２に示すように画像判支持部材１３１をロアケース３側に回動させ、押圧ブロック１１を指等でロアケース３側（図中矢印が示す方向）へ押圧するとその押圧ブロック１１は画像判１３を押圧し、画像判１３の画像形成面が移動し、ロアケース３に収容された最上位の名刺１０に接触して画像が名刺１０に印刷される。
【００８４】
指等を押圧ブロック１１から放して押圧を止めるとその押圧ブロック１１は板バネ１２の復元力により付勢されて画像判１３の画像形成面は名刺１０から離れ、元の位置に戻る。
【００８５】
文字および画像の印刷が終了した後、アッパケース２および画像判支持部材を図１のように開くと、文字および画像が印字された名刺１０が最上位に現れるので、ロアケース３の名刺収容部からその名刺１０を取り出し、直ちに名刺交換をすることができる。
【００８６】
２枚以上印字する場合は上記の文字および画像の印刷動作を繰り返せば良い。また、日付等の文字を変更する場合も、アッパケース２を開き、上記と同様に印刷すべき文字を窓７２ａに配置すれば良い。
【００８７】
また、文字判７のインク保持部へのインクの補充は、文字形成面の印刷面にインクを塗布して行い、画像判１３のインク保持部へのインクの補充は、画像形成面の印刷面にインクを塗布して行う。このように本実施例では、印字リボンの交換作業を不要なものとし、インクの補充を文字形成面または画像形成面の印刷面にインクを塗布することで行うようにしたことにより、インクの補充作業が容易になり、使用者の利便性を向上させることができる。
【００８８】
また、微小な貫通孔が形成された文字形成面または画像形成面で文字または画像を印刷するようにしたことにより、名刺に鮮明な文字または画像を印刷することができる。
【００８９】
さらに、印字リボンを採用した場合と比較して弱い押圧力で文字または画像を印刷することができる。
【００９０】
なお、本実施例では、文字判の文字形成面を、インクを通過させる微小な貫通孔が形成された文字形成シートとして説明したが、インク保持部と一体として形成するようにしてもよい。この場合、図１４（（ａ）は断面図、（ｂ）は平面図）に示すようにインク保持部７５を微小な粒子を含む発泡性のゴム等で形成し、印刷する文字の形状に合わせてインク保持部７５の表面から粒子を除去してインクを通過させる文字形成面７６を形成するようにしてもよい。
【００９１】
このようにインク保持部７５および文字形成面７６を発泡性のゴム等で形成することにより、名刺と接触する印刷面に加え、インク保持部７５が露出している部位、例えば図１４（ｂ）に示すインク保持部の底面７５ａ、７５ｂや側面からもインクを補充することができるようになる。
【００９２】
また、図１５（（ａ）は断面図、（ｂ）は平面図）に示すように、インク保持部７５を、インクを透過させることができる発泡性のゴム等で形成し、印刷する文字の形状以外の部分を熱等で溶解してインク不透過部分７５ｃを形成して文字形成面７６を形成するようにしてもよい。
【００９３】
画像判の画像形成面も上記と同様に形成することができる。
【００９４】
以上説明したように、本実施例では、押圧ブロックを押圧し、文字判の文字形成面をプロテクタの開口から突出させてロアケースに収容された名刺に押し付け、インクを浸潤させたインク保持部から文字形成面の貫通孔を通過したインクで所望の文字を名刺に印刷するようにしたことにより、インクが消耗した場合のインクの補充作業が容易になり、使用者の利便性を向上させることができるという効果が得られる。
【００９５】
また、微小な貫通孔が形成された文字形成面または画像形成面で文字または画像を印刷するようにしたことにより、名刺に鮮明な文字または画像を印刷することができるという効果が得られる。
【００９６】
さらに、弱い押圧力で文字または画像を印刷することができるという効果が得られる。
【符号の説明】
【００９７】
１    名刺入れ
２    アッパケース
３    ロアケース
４    文字印刷部
５    画像印刷部
６、１１  押圧ブロック
７    文字判
８    プロテクタ
９    シャッタ
１０  名刺
１２  板バネ
１３  画像判
７１  文字判支持部材
７２  文字判ケース
７３  シャッタ支持部
７４  リング板
７５、１３３  インク保持部
７６  文字形成面
９２  シャッタ操作部
１３１  画像判支持部材
１３４  画像形成面
【図１】
0005468917.tif 000002
【図２】
0005468917.tif 000003
【図３】
0005468917.tif 000004
【図４】
0005468917.tif 000005
【図５】
0005468917.tif 000006
【図６】
0005468917.tif 000007
【図７】
0005468917.tif 000008
【図８】
0005468917.tif 000009
【図９】
0005468917.tif 000010
【図１０】
0005468917.tif 000011
【図１１】
0005468917.tif 000012
【図１２】
0005468917.tif 000013
【図１３】
0005468917.tif 000014
【図１４】
0005468917.tif 000015
【図１５】
0005468917.tif 000016